(57)【要約】【課題】  副画素の幾何学的形式に関係なく、映像をレンダリングすることができる映像レンダリング装置、映像レンダリング方法、及び映像レンダリングプログラムを保存するコンピュータで読み取り可能な記録媒体を提供する。【解決手段】  所望の解像度を有する入力映像に含まれる各入力画素の画素値を三刺激値に変換し、前記各入力画素の前記変換した三刺激値を出力する三刺激値変換部１４と、前記三刺激値変換部１４から受け取った各入力画素の変換した三刺激値を利用して、出力映像の所定の領域を占める各出力画素の三刺激値を生成し、前記各出力画素の生成した三刺激値を出力する三刺激値生成部１６と、前記三刺激値生成部１６から受け取った各出力画素の生成した三刺激値を、デジタル画素値に変換し、前記変換したデジタル画素値を出力する画素値生成部１８とを備えて構成される映像レンダリング装置である。【選択図】      図１
2006048037.tif 000002
【特許請求の範囲】
【請求項１】
所望の解像度を有する入力映像に含まれる各入力画素の画素値を三刺激値に変換し、前記各入力画素の前記変換した三刺激値を出力する三刺激値変換部と、
前記三刺激値変換部から受け取った各入力画素の変換した三刺激値を利用して、出力映像の所定の領域を占める各出力画素の三刺激値を生成し、前記各出力画素の生成した三刺激値を出力する三刺激値生成部と、
前記三刺激値生成部から受け取った各出力画素の生成した三刺激値を、デジタル画素値に変換し、前記変換したデジタル画素値を出力する画素値生成部と、
を備えることを特徴とする映像レンダリング装置。
【請求項２】
前記映像レンダリング装置は、
前記入力映像が前記所望の解像度を有するか否かを検査する解像度検査部と、
前記解像度検査部で検査した結果に応じて、前記入力映像を前記所望の解像度で補間する解像度補間部と、をさらに備え、
前記三刺激値変換部は、前記解像度検査部で検査した結果に応じて、前記補間した入力映像、または補間しない入力映像に含まれる前記各入力画素の画素値を、前記三刺激値に変換することを特徴とする請求項１に記載の映像レンダリング装置。
【請求項３】
前記三刺激値生成部は、
前記各出力画素に属する前記入力画素の変換した三刺激値を、前記三刺激値変換部から受け取り、この受け取った入力画素の変換した三刺激値の平均値を求め、この求めた平均値を前記各出力画素の生成した三刺激値として出力する平均部を備えることを特徴とする請求項１に記載の映像レンダリング装置。
【請求項４】
前記画素値生成部は、
前記三刺激値生成部から受け取った各出力画素の生成した三刺激値を線形画素値に変換する線形画素値変換部と、
前記各出力画素に含まれる各副画素に属する前記入力画素の変換した三刺激値のうち輝度成分を前記三刺激値変換部から受け取り、前記受け取った輝度成分の平均値を求め、この求めた平均値を前記各副画素の入力輝度成分として出力する輝度成分生成部と、
前記各出力画素に含まれる副画素のうち前記線形画素値変換部から受け取った同一色成分副画素の線形画素値間の分布が前記輝度成分生成部から受け取った同一色成分副画素の入力輝度成分間の分布に近似するまで前記同一色成分副画素の線形画素値を調整する線形画素値調整部と、
前記各出力画素の前記線形画素値を前記デジタル画素値に変換するデジタル画素値変換部と、
を備え、
前記各出力画素は互いに重ならず、前記各出力画素は、同一の色成分を表現する少なくとも２つの副画素を有することを特徴とする請求項１に記載の映像レンダリング装置。
【請求項５】
所望の解像度を有する入力映像に含まれる各入力画素の画素値を三刺激値に変換するステップと、
出力映像の所定の領域を占める各出力画素の三刺激値を生成するステップと、
前記各出力画素の生成した三刺激値をデジタル画素値に変換するステップと、
を含むことを特徴とする映像レンダリング方法。
【請求項６】
前記映像レンダリング方法は、
前記入力映像が前記所望の解像度を有するか否かを判断するステップと、
前記入力映像が前記所望の解像度を有しないと判断した場合、前記入力映像を前記所望の解像度で補間するステップと、
をさらに含み、
前記入力映像が前記所望の解像度を有すると判断した場合、前記所望の解像度を有する入力映像に含まれる前記各入力画素の画素値を、または前記入力映像が前記所望の解像度を有しないと判断した場合、前記補間するステップの後前記補間した入力映像に含まれる前記各入力画素の画素値を、前記三刺激値に変換することを特徴とする請求項５に記載の映像レンダリング方法。
【請求項７】
前記各出力画素の三刺激値を生成するステップは、
前記各出力画素に属する入力画素の変換した三刺激値の平均値を求め、この求めた平均値を前記各出力画素の生成した三刺激値として決定するステップを含むことを特徴とする請求項５に記載の映像レンダリング方法。
【請求項８】
前記各出力画素の生成した三刺激値を前記デジタル画素値に変換するステップは、
前記各出力画素の生成した三刺激値を線形画素値に変換するステップと、
前記各出力画素に含まれる各副画素に属する前記入力画素の変換した三刺激値のうち輝度成分の平均値を求め、この求めた平均値を前記各副画素の入力輝度成分として決定するステップと、
前記各出力画素に含まれる副画素のうち同一色成分副画素の線形画素値間の分布が前記同一色成分副画素の入力輝度成分間の分布に近似するまで前記同一色成分副画素の線形画素値を調整するステップと、
前記各出力画素の前記線形画素値を前記デジタル画素値に変換するステップと、
を含み、
前記各出力画素は互いに重ならず、前記各出力画素は、同一の色成分を表現する少なくとも２つの副画素を有することを特徴とする請求項５に記載の映像レンダリング方法。
【請求項９】
前記線形画素値を調整するステップは、
前記各出力画素に属する副画素のうち前記同一の色成分を表現する副画素の線形画素値の輝度成分間の差が前記副画素の前記入力輝度成分間の差に近似するまで前記副画素の線形画素値を調整することを特徴とする請求項８に記載の映像レンダリング方法。
【請求項１０】
前記線形画素値を調整するステップは、前記各出力画素の各線形画素値を式（１）を用いて調整することを特徴とする請求項９に記載の映像レンダリング方法。
【数１】
2006048037.tif 000019
ここで、ｃPはＰチャンネルについての輝度乗算定数を表し、Ｐは前記色成分のうちの一つを表し、ＮはＰ色成分を表現する前記副画素の個数を表し、ｎは２≦ｎ≦Ｎを満たす整数であり、Ｐ´nはＮ個の副画素のうちｎ番目の位置に存在する副画素の調整した線形画素値を表し、最大値と最小値とが存在し、Ｙsub,p,nはＮ個の副画素のうちｎ番目の位置に存在するＰ色成分を表す前記副画素の決定した入力輝度成分を表す。
【請求項１１】
前記線形画素値を調整するステップは、Ｎ＝２である場合、前記各出力画素の線形画素値を式（２）及び式（３）を用いて調整することを特徴とする請求項１０に記載の映像レンダリング方法。
【数２】
2006048037.tif 000020
【数３】
2006048037.tif 000021
ここで、Ｐnはｎ番目の位置に存在する前記副画素の調整する前の線形画素値を表す。
【請求項１２】
前記線形画素値を調整するステップは、
前記各出力画素に属する副画素のうち前記同一色成分副画素の線形画素値間の比率が前記同一色成分副画素の入力輝度成分間の比率に近似するまで、前記同一色成分副画素の線形画素値を調整することを特徴とする請求項８に記載の映像レンダリング方法。
【請求項１３】
前記線形画素値を調整するステップは、前記各出力画素の線形画素値を式（４）を用いて調整することを特徴とする請求項１２に記載の映像レンダリング方法。
【数４】
2006048037.tif 000022
ここで、Ｐは前記色成分のうちの一つを表し、ＮはＰ色成分を表現する副画素の個数を表し、ｎは２≦ｎ≦Ｎを満たす整数であり、Ｐ´nはＮ個の副画素のうちｎ番目の位置に存在する副画素の調整した線形画素値を表し、最大値と最小値とが存在し、Ｙsub,p,nはＮ個の副画素のうちｎ番目の位置に存在するＰ色成分を表す副画素の前記決定した入力輝度成分を表し、ＹPは前記Ｎ個の副画素について前記決定した輝度成分の平均値を表し、Ｐaは前記Ｎ個の副画素の調整しない線形画素値の平均値を表す。
【請求項１４】
前記最大値より大きい調整した線形画素値を前記最大値として決定し、前記最小値未満である調整した線形画素値を前記最小値として決定することを特徴とする請求項１０または請求項１３に記載の映像レンダリング方法。
【請求項１５】
映像レンダリング装置を制御する少なくとも一つの映像レンダリングプログラムを保存するコンピュータで読み取り可能な記録媒体において、
所望の解像度を有する入力映像に含まれる各入力画素の画素値を三刺激値に変換するステップと、
出力映像の所定の領域を占める各出力画素の三刺激値を生成するステップと、
前記各出力画素の生成した三刺激値をデジタル画素値に変換するステップと、
を含むことを特徴とする映像レンダリングプログラムを保存するコンピュータで読み取り可能な記録媒体。
【請求項１６】
前記記録媒体に保存される映像レンダリングプログラムは、
前記入力映像が前記所望の解像度を有するか否かを判断するステップと、
前記入力映像が前記所望の解像度を有しないと判断した場合、前記入力映像を前記所望の解像度で補間するステップと、
をさらに含み、
前記入力映像が前記所望の解像度を有すると判断した場合、前記所望の解像度を有する入力映像に含まれる前記各入力画素の画素値を、または前記入力映像が前記所望の解像度を有しないと判断した場合、前記補間するステップの後前記補間した入力映像に含まれる前記各入力画素の画素値を、前記三刺激値に変換することを特徴とする請求項１５に記載の映像レンダリングプログラムを保存するコンピュータで読み取り可能な記録媒体。
【請求項１７】
前記各出力画素の三刺激値を生成するステップは、
前記各出力画素に属する入力画素の変換した三刺激値の平均値を求め、この求めた平均値を前記各出力画素の三刺激値として決定するステップを含むことを特徴とする請求項１５に記載の映像レンダリングプログラムを保存するコンピュータで読み取り可能な記録媒体。
【請求項１８】
前記各出力画素の生成した三刺激値を前記デジタル画素値に変換するステップは、
前記各出力画素の生成した三刺激値を線形画素値に変換するステップと、
前記各出力画素に含まれる各副画素に属する入力画素の変換した三刺激値のうち輝度成分の平均値を求め、この求めた平均値を前記各副画素の入力輝度成分として決定するステップと、
前記各出力画素に属する副画素のうち同一色成分副画素の線形画素値間の分布が前記同一色成分副画素の入力輝度成分間の分布に近似するまで前記同一色成分副画素の線形画素値を調整するステップと、
前記各出力画素の調整した線形画素値を前記デジタル画素値に変換するステップと、
を含み、
前記各出力画素は互いに重ならず、前記各出力画素は同一の色成分を表現する少なくとも２つの副画素を有することを特徴とする請求項１５に記載の映像レンダリングプログラムを保存するコンピュータで読み取り可能な記録媒体。
【請求項１９】
前記出力映像に含まれる副画素のうち少なくとも２つの副画素が同一の色成分を表現する場合、前記同一の色成分を表現する副画素の輝度成分を調整することによって前記各出力画素のデジタル画素値を求めることを特徴とする請求項５に記載の映像レンダリング方法。
【請求項２０】
前記各出力画素の線形画素値は０と１との間の値であり、前記出力画素の最大輝度値に対する現輝度値の比率であることを特徴とする請求項８に記載の映像レンダリング方法。
【請求項２１】
前記各出力画素の全体の色度は前記入力映像で前記出力画素に該当する領域の平均色度と等しく、前記各出力画素の全体の輝度は前記入力映像で出力画素に該当する領域の平均輝度と等しいことを特徴とする請求項８に記載の映像レンダリング方法。
【請求項２２】
前記線形画素値調整部は、
前記各出力画素の全体の色度と全体の輝度とを変えずに、前記各出力画素に含まれる同一色成分副画素の線形画素値の輝度成分のみを調整することを特徴とする請求項４に記載の映像レンダリング装置。
【請求項２３】
前記線形画素値調整部は複数個の前記同一色成分副画素の線形画素値の輝度成分を調整し、
前記線形画素値調整部が前記同一色成分副画素の線形画素値の輝度成分を増加させた場合、前記線形画素値調整部は、前記同一色成分副画素の線形画素値の輝度成分を増加させた分だけ、他の同一色成分副画素の線形画素値の輝度成分を減少させることを特徴とする請求項４に記載の映像レンダリング装置。
【請求項２４】
前記線形画素値調整部は、
前記各出力画素に属する副画素における前記同一色成分副画素の線形画素値間の比率が、前記同一色成分副画素の入力輝度成分間の比率に近似するまで前記同一色成分副画素の線形画素値を調整することを特徴とする請求項４に記載の映像レンダリング装置。
【請求項２５】
各出力画素が任意の幾何学的パターンを有する副画素から形成される場合、前記各出力画素が有する副画素の幾何学的形式に関係なく映像をレンダリングするステップと、
前記各出力画素に対するデジタル画素値を計算するとき、副画素レンダリングアルゴリズムを適用するステップと、
を含むことを特徴とする映像レンダリング方法。
【請求項２６】
前記映像は、前記副画素の輝度情報のみを利用してレンダリングすることを特徴とする請求項２５に記載の映像レンダリング方法。
【発明の詳細な説明】
【技術分野】
【０００１】
本発明は、映像を処理する映像処理装置及び映像処理方法に係り、特に、映像をレンダリングする映像レンダリング装置、映像レンダリング方法、及びその映像レンダリング装置を制御する映像レンダリングプログラムを保存するコンピュータで読み取り可能な記録媒体に関する。
【背景技術】
【０００２】
副画素レンダリング技術によって、レンダリングした映像の視覚解像度が向上する。副画素レンダリング技術の発展に伴い、映像ディスプレイ装置は、色々な形式の副画素を利用して映像を表示し、映像の解像度をさらに向上させるために、より多様な副画素の形式が開発されている。
【０００３】
入力映像をレンダリングして出力映像を生成する従来の方法では、ほとんどの場合、入力映像の副画素を出力映像の副画素にどのようにマッチングさせるかを考慮せず、副画素の形式を変更している。一方、副画素の形式を変える代わりに、副画素をレンダリングすることによって映像の画質を改善する従来の他の方法が、特許文献１に開示されている。しかし、開示された従来の方法は、ストライプ構造を有する副画素のみに限定されるという問題点がある。
【特許文献１】米国特許第６，１８８，３８５号明細書
【発明の開示】
【発明が解決しようとする課題】
【０００４】
本発明が解決しようとする課題は、副画素の幾何学的形式に関係なく、映像をレンダリングすることができる映像レンダリング装置及び映像レンダリング方法を提供することである。
【０００５】
本発明が解決しようとする他の課題は、副画素の幾何学的形式に関係なく、映像をレンダリングすることができる映像レンダリング装置を制御する映像レンダリングプログラムを保存するコンピュータで読み取り可能な記録媒体を提供することである。
【課題を解決するための手段】
【０００６】
本発明に係る映像レンダリング装置は、所望の解像度を有する入力映像に含まれる各入力画素の画素値を三刺激値に変換し、前記各入力画素の前記変換した三刺激値を出力する三刺激値変換部と、前記三刺激値変換部から受け取った各入力画素の変換した三刺激値を利用して、出力映像の所定の領域を占める各出力画素の三刺激値を生成し、前記各出力画素の生成した三刺激値を出力する三刺激値生成部と、前記三刺激値生成部から受け取った各出力画素の生成した三刺激値を、デジタル画素値に変換し、前記変換したデジタル画素値を出力する画素値生成部とを備えて構成される。
【０００７】
前記映像レンダリング装置は、前記入力映像が前記所望の解像度を有するか否かを検査する解像度検査部と、前記解像度検査部で検査した結果に応じて、前記入力映像を前記所望の解像度で補間する解像度補間部と、をさらに備え、前記三刺激値変換部は、前記解像度検査部で検査した結果に応じて、前記補間した入力映像、または補間しない入力映像に含まれる前記各入力画素の画素値を、前記三刺激値に変換することが好ましい。
【０００８】
前記三刺激値生成部は、前記各出力画素に属する前記入力画素の変換した三刺激値を、前記三刺激値変換部から受け取り、この受け取った入力画素の変換した三刺激値の平均値を求め、この求めた平均値を前記各出力画素の生成した三刺激値として出力する平均部を備えることが好ましい。
【０００９】
前記画素値生成部は、前記三刺激値生成部から受け取った各出力画素の生成した三刺激値を線形画素値に変換する線形画素値変換部と、前記各出力画素に含まれる各副画素に属する前記入力画素の変換した三刺激値のうち輝度成分を前記三刺激値変換部から受け取り、前記受け取った輝度成分の平均値を求め、この求めた平均値を前記各副画素の入力輝度成分として出力する輝度成分生成部と、前記各出力画素に含まれる副画素のうち前記線形画素値変換部から受け取った同一色成分副画素の線形画素値間の分布が前記輝度成分生成部から受け取った同一色成分副画素の入力輝度成分間の分布に近似するまで前記同一色成分副画素の線形画素値を調整する線形画素値調整部と、前記各出力画素の前記線形画素値を前記デジタル画素値に変換するデジタル画素値変換部とを備え、前記各出力画素は互いに重ならず、前記各出力画素は、同一の色成分を表現する少なくとも２つの副画素を有することが好ましい。
【００１０】
本発明に係る映像レンダリング方法は、所望の解像度を有する入力映像に含まれる各入力画素の画素値を三刺激値に変換するステップと、出力映像の所定の領域を占める各出力画素の三刺激値を生成するステップと、前記各出力画素の生成した三刺激値をデジタル画素値に変換するステップとを含んで構成される。
【００１１】
前記映像レンダリング方法は、前記入力映像が前記所望の解像度を有するか否かを判断するステップと、前記入力映像が前記所望の解像度を有しないと判断した場合、前記入力映像を前記所望の解像度で補間するステップとをさらに含み、前記入力映像が前記所望の解像度を有すると判断した場合、前記所望の解像度を有する入力映像に含まれる前記各入力画素の画素値を、または前記入力映像が前記所望の解像度を有しないと判断した場合、前記補間するステップの後前記補間した入力映像に含まれる前記各入力画素の画素値を、前記三刺激値に変換することが好ましい。
【００１２】
前記各出力画素の三刺激値を生成するステップは、前記各出力画素に属する入力画素の変換した三刺激値の平均値を求め、この求めた平均値を前記各出力画素の生成した三刺激値として決定するステップを含むことが好ましい。
【００１３】
前記各出力画素の生成した三刺激値を前記デジタル画素値に変換するステップは、前記各出力画素の生成した三刺激値を線形画素値に変換するステップと、前記各出力画素に含まれる各副画素に属する前記入力画素の変換した三刺激値のうち輝度成分の平均値を求め、この求めた平均値を前記各副画素の入力輝度成分として決定するステップと、前記各出力画素に含まれる副画素のうち同一色成分副画素の線形画素値間の分布が前記同一色成分副画素の入力輝度成分間の分布に近似するまで前記同一色成分副画素の線形画素値を調整するステップと、前記各出力画素の前記線形画素値を前記デジタル画素値に変換するステップとを含み、前記各出力画素は互いに重ならず、前記各出力画素は、同一の色成分を表現する少なくとも２つの副画素を有することが好ましい。
【００１４】
前記線形画素値を調整するステップは、前記各出力画素に属する副画素のうち前記同一の色成分を表現する副画素の線形画素値の輝度成分間の差が前記副画素の前記入力輝度成分間の差に近似するまで前記副画素の線形画素値を調整することが好ましい。
【００１５】
前記線形画素値を調整するステップは、前記各出力画素の各線形画素値を式（５）を用いて調整することが好ましい。
【数５】
2006048037.tif 000003
ここで、ｃPはＰチャンネルについての輝度乗算定数を表し、Ｐは前記色成分のうちの一つを表し、ＮはＰ色成分を表現する前記副画素の個数を表し、ｎは２≦ｎ≦Ｎを満たす整数であり、Ｐ´nはＮ個の副画素のうちｎ番目の位置に存在する副画素の調整した線形画素値を表し、最大値と最小値とが存在し、Ｙsub,p,nはＮ個の副画素のうちｎ番目の位置に存在するＰ色成分を表す前記副画素の決定した入力輝度成分を表す。
【００１６】
前記線形画素値を調整するステップは、Ｎ＝２である場合、前記各出力画素の線形画素値を式（６）及び式（７）を用いて調整することが好ましい。
【数６】
2006048037.tif 000004
【数７】
2006048037.tif 000005
ここで、Ｐnはｎ番目の位置に存在する前記副画素の調整する前の線形画素値を表す。
【００１７】
前記線形画素値を調整するステップは、前記各出力画素に属する副画素のうち前記同一色成分副画素の線形画素値間の比率が前記同一色成分副画素の入力輝度成分間の比率に近似するまで、前記同一色成分副画素の線形画素値を調整することが好ましい。
【００１８】
前記線形画素値を調整するステップは、前記各出力画素の線形画素値を式（８）を用いて調整することが好ましい。
【数８】
2006048037.tif 000006
ここで、Ｐは前記色成分のうちの一つを表し、ＮはＰ色成分を表現する副画素の個数を表し、ｎは２≦ｎ≦Ｎを満たす整数であり、Ｐ´nはＮ個の副画素のうちｎ番目の位置に存在する副画素の調整した線形画素値を表し、最大値と最小値とが存在し、Ｙsub,p,nはＮ個の副画素のうちｎ番目の位置に存在するＰ色成分を表す副画素の前記決定した入力輝度成分を表し、ＹPは前記Ｎ個の副画素について前記決定した輝度成分の平均値を表し、Ｐaは前記Ｎ個の副画素の調整しない線形画素値の平均値を表す。
【００１９】
前記最大値より大きい調整した線形画素値を前記最大値として決定し、前記最小値未満である調整した線形画素値を前記最小値として決定することが好ましい。
【００２０】
本発明に係る映像レンダリング装置を制御する少なくとも一つの映像レンダリングプログラムを保存するコンピュータで読み取り可能な記録媒体は、所望の解像度を有する入力映像に含まれる各入力画素の画素値を三刺激値に変換するステップと、出力映像の所定の領域を占める各出力画素の三刺激値を生成するステップと、前記各出力画素の生成した三刺激値をデジタル画素値に変換するステップとを含むことを特徴とする映像レンダリングプログラムを保存して構成される。
【００２１】
前記記録媒体に保存される映像レンダリングプログラムは、前記入力映像が前記所望の解像度を有するか否かを判断するステップと、前記入力映像が前記所望の解像度を有しないと判断した場合、前記入力映像を前記所望の解像度で補間するステップとをさらに含み、前記入力映像が前記所望の解像度を有すると判断した場合、前記所望の解像度を有する入力映像に含まれる前記各入力画素の画素値を、または前記入力映像が前記所望の解像度を有しないと判断した場合、前記補間するステップの後前記補間した入力映像に含まれる前記各入力画素の画素値を、前記三刺激値に変換することが好ましい。
【００２２】
前記各出力画素の三刺激値を生成するステップは、前記各出力画素に属する入力画素の変換した三刺激値の平均値を求め、この求めた平均値を前記各出力画素の三刺激値として決定するステップを含むことが好ましい。
【００２３】
前記各出力画素の生成した三刺激値を前記デジタル画素値に変換するステップは、前記各出力画素の生成した三刺激値を線形画素値に変換するステップと、前記各出力画素に含まれる各副画素に属する入力画素の変換した三刺激値のうち輝度成分の平均値を求め、この求めた平均値を前記各副画素の入力輝度成分として決定するステップと、前記各出力画素に属する副画素のうち同一色成分副画素の線形画素値間の分布が前記同一色成分副画素の入力輝度成分間の分布に近似するまで前記同一色成分副画素の線形画素値を調整するステップと、前記各出力画素の調整した線形画素値を前記デジタル画素値に変換するステップとを含み、前記各出力画素は互いに重ならず、前記各出力画素は同一の色成分を表現する少なくとも２つの副画素を有することが好ましい。
【００２４】
前記出力映像に含まれる副画素のうち少なくとも２つの副画素が同一の色成分を表現する場合、前記同一の色成分を表現する副画素の輝度成分を調整することによって前記各出力画素のデジタル画素値を求めることが好ましい。
【００２５】
前記各出力画素の線形画素値は０と１との間の値であり、前記出力画素の最大輝度値に対する現輝度値の比率であることが好ましい。
【００２６】
前記各出力画素の全体の色度は前記入力映像で前記出力画素に該当する領域の平均色度と等しく、前記各出力画素の全体の輝度は前記入力映像で出力画素に該当する領域の平均輝度と等しいことが好ましい。
【００２７】
前記線形画素値調整部は、前記各出力画素の全体の色度と全体の輝度とを変えずに、前記各出力画素に含まれる同一色成分副画素の線形画素値の輝度成分のみを調整することが好ましい。
【００２８】
前記線形画素値調整部は複数個の前記同一色成分副画素の線形画素値の輝度成分を調整し、前記線形画素値調整部が前記同一色成分副画素の線形画素値の輝度成分を増加させた場合、前記線形画素値調整部は、前記同一色成分副画素の線形画素値の輝度成分を増加させた分だけ、他の同一色成分副画素の線形画素値の輝度成分を減少させることが好ましい。
【００２９】
前記線形画素値調整部は、前記各出力画素に属する副画素における前記同一色成分副画素の線形画素値間の比率が、前記同一色成分副画素の入力輝度成分間の比率に近似するまで前記同一色成分副画素の線形画素値を調整することが好ましい。
【００３０】
各出力画素が任意の幾何学的パターンを有する副画素から形成される場合、前記各出力画素が有する副画素の幾何学的形式に関係なく映像をレンダリングするステップと、前記各出力画素に対するデジタル画素値を計算するとき、副画素レンダリングアルゴリズムを適用するステップとを含むことが好ましい。
【００３１】
前記映像は、前記副画素の輝度情報のみを利用してレンダリングすることが好ましい。
【発明の効果】
【００３２】
本発明の一実施形態による映像レンダリング装置、映像レンダリング方法、及びその装置を制御する映像レンダリングプログラムを保存するコンピュータで読み取り可能な記録媒体によれば、特定の形式の副画素のみに適用できる従来のレンダリング方法と異なり、各出力画素が有する副画素の幾何学的形式に関係なく、すなわち、各出力画素が任意の幾何学的パターンを有する副画素からなる場合でも、映像をレンダリングすることができ、各出力画素についてのデジタル画素値を計算するとき、副画素レンダリングアルゴリズムを同時に適用させることができるので、別途のフィルタリング過程を必要とせず、カラーフリンジエラーや視覚的アーティファクトを防止することができる。特に、人間が感じる空間解像能力が色度より輝度に対してより影響を受けやすいという特性を考慮して、輝度情報のみを使用して副画素をレンダリングすることによって、従来のレンダリング方法に比べ、映像をより簡単に、従ってより高速にレンダリングすることができ、より容易に具現することができる。
【発明を実施するための最良の形態】
【００３３】
以下、本発明による映像レンダリング装置の各実施形態の構成と動作、及びその装置で行われる映像レンダリング方法を、添付した図面を参照して次のように説明する。
【００３４】
図１は、本発明による映像レンダリング装置の実施形態のブロック図であって、解像度検査部１０、解像度補間部１２、三刺激値変換部１４、三刺激値生成部１６及び画素値生成部１８で構成される。
【００３５】
図２は、本発明による映像レンダリング方法の実施形態を説明するためのフローチャートであって、所望の解像度を有する入力映像、または補間した入力映像に含まれる入力画素の画素値をそれぞれの三刺激値に変換して三刺激値を求めるステップ（第４０ステップ〜第４４ステップ）、出力映像に含まれる出力画素のそれぞれの三刺激値を求める（生成する）ステップ（第４６ステップ）、及び求めた三刺激値をデジタル画素値に変換するステップ（第４８ステップ）からなる。
【００３６】
図２に示す映像レンダリング方法は、図１に示す映像レンダリング装置により行うことができる。図１及び図２に示す映像レンダリング装置及び映像レンダリング方法は、入力映像を出力ディスプレイ装置（図示せず）の特性に合わせて、次のようにレンダリングする。ここで、入力映像をレンダリングした結果を出力映像とし、この出力映像を、出力ディスプレイ装置に表示する。
【００３７】
本発明の一実施形態によれば、図１に示す解像度検査部１０は、入力端子ＩＮ１を通じて入力された入力映像が所望の解像度であるか否かを検査し、検査結果を解像度補間部１２及び三刺激値変換部１４にそれぞれ出力する（第４０ステップ）。ここで、入力端子ＩＮ１を通じて入力される入力映像は、３個のストライプ画素構造を有するディスプレイ装置に適した映像である。
【００３８】
図３は、３個のストライプ画素構造を有するディスプレイ装置の形態の一例であって、各々が長方形である複数個の入力画素で構成され、各入力画素は、３個のストライプ状の副画素５０、副画素５２、及び副画素５４で構成される。
【００３９】
３個のストライプ画素構造とは、例えば図３に示すように、各入力画素が、赤（Ｒ）、緑（Ｇ）及び青（Ｂ）をそれぞれ表現する３個の副画素５０、副画素５２及び副画素５４からなる構造を意味する。
【００４０】
この際、解像度補間部１２は、入力端子ＩＮ１を通じて入力された入力映像を、解像度検査部１０で検査した結果に応じて、所望の解像度で補間し、補間した入力映像を三刺激値変換部１４に出力する（第４２ステップ）。例えば、解像度検査部１０の検査結果によって、入力映像が所望の解像度を有しないことが示されれば、解像度補間部１２は、入力映像を所望の解像度で補間する。このために、解像度補間部１２は、入力映像が所望の解像度を有するように、入力映像を拡張することができる。
【００４１】
第４２ステップ後に、三刺激値変換部１４は、解像度検査部１２の検査結果に応じて、解像度補間部１２から受け取った補間した入力映像、または入力端子ＩＮ１を通じて受け取った補間されていない入力映像に含まれる各入力画素の画素値を三刺激値に変換し、各入力画素の三刺激値を三刺激値生成部１６及び画素値生成部１８にそれぞれ出力する（第４４ステップ）。ここで、三刺激値とは、ＸＹＺ色空間上で、Ｘ成分、Ｙ成分またはＺ成分を表す値を意味し、Ｙ成分が輝度成分であり、入力画素の画素値とは、Ｒ、Ｇ、ＢのデジタルＲＧＢ値であってもよい。例えば、入力画素の画素値がデジタルＲＧＢ値である場合、三刺激値変換部１４は、各入力画素のデジタルＲＧＢ値をＸＹＺ成分の三刺激値に変換する。
【００４２】
例えば、三刺激値変換部１４は、解像度検査部１０で検査した結果によって、入力映像が所望の解像度を有すると認識した場合、入力端子ＩＮ１を通じて所望の解像度を有する入力映像を受け取り、入力映像が所望の解像度を有しないと認識した場合、解像度補間部１２から補間した入力映像を受け取る。この際、三刺激値変換部１４は、入力映像に含まれる各入力画素の画素値を三刺激値に変換するため、入力映像のカラープロファイルを利用する。入力映像のカラープロファイルを利用することができない場合は、三刺激値変換部１４は、入力映像をｓＲＧＢ映像と仮定して、画素値の三刺激値を計算してもよい。
【００４３】
本発明の他の実施形態によれば、入力端子ＩＮ１を通じて所望の解像度を有する入力映像が入力される場合、図１に示した映像レンダリング装置は、解像度検査部１０及び解像度補間部１２を設けなくてもよい。すなわち、図２に示す映像レンダリング方法は、第４０ステップ及び第４２ステップを設けなくてもよい。この場合、三刺激値変換部１４は、入力端子ＩＮ１を通じて所望の解像度を有する入力映像を受け取り、入力映像に含まれる入力画素のそれぞれの画素値を三刺激値に変換する（第４４ステップ）。
【００４４】
第４４ステップ後に、三刺激値生成部１６は、三刺激値変換部１４から各入力画素の三刺激値を受け取り、受け取った各入力画素の三刺激値を利用して、出力画素のそれぞれの三刺激値を生成し、生成した各出力画素の三刺激値を画素値生成部１８に出力する（第４６ステップ）。ここで、各出力画素は、出力映像上の所定の領域を占め、複数個の所定の入力画素を含む。
【００４５】
本発明の一実施形態によれば、図１に示した三刺激値生成部１６は、平均部２０で実施してもよい。ここで、平均部２０は、入力画素の三刺激値を三刺激値変換部１４から受け取って平均値を求め、その結果を各出力画素の三刺激値として画素値生成部１８に出力する。すなわち、平均部２０は、各出力画素の三刺激値を次の式（９）、式（１０）、および式（１１）を用いて生成する。
【００４６】
【数９】
2006048037.tif 000007
【数１０】
2006048037.tif 000008
【数１１】
2006048037.tif 000009
【００４７】
ここで、Ｘpixel、Ｙpixel、Ｚpixelは、ＸＹＺ色空間上のそれぞれＸ、Ｙ、Ｚ成分であり出力画素の三刺激値を表し、Ａは、出力画素が占める領域を表し、Ｍは、出力画素の領域Ａに含まれる入力画素の個数を表し、Ｘmは、領域Ａに含まれるＭ個の入力画素の中で、ｍ（１≦ｍ≦Ｍ）番目の入力画素の三刺激値のうち、Ｘ成分を表す三刺激値を示し、Ｙmは、領域Ａに含まれるＭ個の入力画素の中で、ｍ番目の入力画素の三刺激値のうち、Ｙ成分を表す三刺激値を示し、Ｚmは、領域Ａに含まれるＭ個の入力画素の中で、ｍ番目の入力画素の三刺激値のうち、Ｚ成分を表す三刺激値を示す。
【００４８】
本発明の一実施形態によれば、第４６ステップ後に、画素値生成部１８は、三刺激値生成部１６から受け取った各出力画素の三刺激値をデジタル画素値に変換し、変換したデジタル画素値を出力端子ＯＵＴ１を通じて出力する（第４８ステップ）。
【００４９】
前述した本発明の一実施形態による映像レンダリング方法では、出力映像に含まれる副画素の個数や構造に関係なく、各出力画素のデジタル画素値が求められる。しかし、各出力映像に含まれる副画素のうち、同一の色成分を表現する副画素が２つ以上存在する場合、同一の色成分を表現する副画素間の輝度成分を調整して、各出力画素のデジタル画素値を次のように求めてもよい。
【００５０】
図４は、図１に示した画素値生成部の本発明による一実施形態を示すブロック図である。画素値生成部１８は、線形画素値変換部７０、輝度成分生成部７２、線形画素値調整部７４及びデジタル画素値変換部７６で構成される。
【００５１】
図５は、図２に示した第４８ステップの本発明による一実施形態を示すブロック図である。第４８ステップ４８は、線形画素値を求めるステップ（第９０ステップ）、入力輝度成分を求めるステップ（第９２ステップ）、線形画素値を調整するステップ（第９４ステップ）、及び線形画素値をデジタル画素値に変換するステップ（第９６ステップ）からなる。
【００５２】
図５に示した第４８ステップは、図４に示した画素値生成部１８で行われる。
【００５３】
図４及び図５に示した映像レンダリング装置及び映像レンダリング方法において、出力画素は、互いに重ならず、各出力画素は、同一の色成分を表現する２つ以上の副画素を有すると仮定する。以下、同一の色成分を表現する副画素を‘同一色成分副画素’という。
【００５４】
図６は、出力映像の例示的な形態であって、四角形の出力画素で構成され、各出力画素は、６個の副画素１１０、副画素１１２、副画素１１４、副画素１１６、副画素１１８、及び副画素１２０で構成され、各副画素は、三角形である。
【００５５】
例えば、図６に示すように、各出力画素に含まれる各副画素が表現できる色成分が、Ｒ、Ｇ及びＢである場合、各出力画素は、Ｒを表現する２つの同一色成分副画素１１０及び同一色成分副画素１１６、Ｇを表現する２つの同一色成分副画素１１４及び同一色成分副画素１２０、及びＢを表現する２つの同一色成分副画素１１２及び同一色成分副画素１１８を有してもよい。この際、異なる色成分を表現する同一色成分副画素の個数は、互いに異なってもよい。例えば、Ｒを表現する同一色成分副画素の個数と、Ｇを表現する同一色成分副画素の個数と、Ｂを表現する同一色成分副画素の個数とは、図６の場合、‘２'ですべて同一であるが、互いに異なる数でもよい。
【００５６】
本発明の他の実施形態によれば、第４６ステップ後に、線形画素値変換部７０は、三刺激値生成部１６から入力端子ＩＮ２を通じて受け取った各出力画素の三刺激値を、線形画素値に変換し、各出力画素の線形画素値を線形画素値調整部７４に出力する（第９０ステップ）。ここで、各出力画素の線形画素値とは、モニタ三刺激値ともいい、０と１との間の値であり、出力画素が有することができる最大輝度値に対する現輝度値の比率である。
【００５７】
第９０ステップ後に、輝度成分生成部７２は、各出力画素に含まれる各副画素に属する入力画素の三刺激値のうち、輝度成分Ｙ値を、入力端子ＩＮ３を通じて三刺激値変換部１４から受け取り平均値を求め、その平均値を各副画素の入力輝度成分として線形画素値調整部７４に出力する（第９２ステップ）。すなわち、輝度成分生成部７２は、各副画素に属する入力画素の三刺激値のうち、Ｙの輝度成分値の平均値を求め、対応する副画素の入力輝度成分を決定する。
【００５８】
第９２ステップ後に、線形画素値調整部７４は、各出力画素に属する副画素のうち、同一色成分副画素の線形画素値の分布が、その同一色成分副画素の入力輝度成分の分布に近似するまで、同一色成分副画素の線形画素値を調整し、調整した結果をデジタル画素値変換部７６に出力する（第９４ステップ）。このために、線形画素値調整部７４は、線形画素値変換部７０から同一色成分副画素の線形画素値を受け取り、輝度成分生成部７２から同一色成分副画素の入力輝度成分を受け取る。
【００５９】
本発明によれば、線形画素値調整部７４は、各出力画素の全体の色度及び全体の輝度を変えずに、その出力画素に含まれる同一色成分副画素の線形画素値の輝度成分のみを調整することができる。
【００６０】
本発明の一実施形態によれば、第９２ステップ後に、線形画素値調整部７４は、各出力画素に含まれる同一色成分副画素の線形画素値の輝度成分間の差が、その同一色成分副画素の入力輝度成分間の差に近似するように、同一色成分副画素の線形画素値の輝度成分を調整する（第９４ステップ）。これは、次の式（１２）のｎ元線形連立方程式で表現することができる。
【００６１】
【数１２】
2006048037.tif 000010
【００６２】
ここで、ｃPは、Ｐチャンネルについての輝度乗算定数であって、チャンネルＰによって変わり、Ｐは、色成分のうちの一つを表し、例えば副画素がＲ、ＧまたはＢを表現する場合、Ｐは、Ｒ、ＧまたはＢとなる。また、Ｎは、色成分Ｐを表現する同一色成分副画素の個数を表し、２以上であり、２≦ｎ≦Ｎである。また、Ｐ´nは、Ｎ個の同一色成分副画素のうち、ｎ番目の位置に存在する同一色成分副画素の調整済の線形画素値を表し、最大値、例えば‘１’と、最小値、例えば‘０’とがある。例えば、Ｎ＝２で、Ｐ＝Ｒであり、各出力画素が図６に示すように具現される場合、Ｒ´1は、一番目の位置に存在する同一色成分副画素１１０または同一色成分副画素１１６の調整済の線形画素値を表し、Ｒ´2は、二番目の位置に存在する同一色成分副画素１１６または同一色成分副画素１１０の調整済の線形画素値をそれぞれ表す。この際、Ｙsub,P,nは、Ｎ個の副画素のうちｎ番目の位置に存在し、Ｐ色成分を表す同一色成分副画素の入力輝度成分を表す。ここで、ｃPＰ´nは、ｎ番目の同一色成分副画素の調整済の線形画素値の輝度成分を表す。
【００６３】
この際、出力画素が９個より多い副画素を有する場合は、事実上稀であるため、Ｎが４より少ない場合、式（１２）のように表現される調整済の線形画素値Ｐ´nは、容易に求めることができる。
【００６４】
線形画素値調整部７４が、前述の式（１２）で示すように、同一色成分副画素の線形画素値を調整するとき、同一色成分副画素を含む出力画素の平均色度と平均輝度とは、次の式（１３）で示すように変わらない。すなわち、各出力画素の全体の色度は、入力映像におけるその出力画素に該当する領域の平均色度と同一であり、各出力画素の全体の輝度は、入力映像におけるその出力画素に該当する領域の平均輝度と同一である。例えば、図６に示すように、副画素１１０〜副画素１２０を含む出力画素の色度成分は、副画素１１０〜副画素１２０に含まれる入力画素の平均色度成分である。
【００６５】
【数１３】
2006048037.tif 000011
【００６６】
ここで、Ｐnは、ｎ番目の位置に存在する同一色成分副画素の未調整の線形画素値を表す。
【００６７】
この際、複数個の同一色成分副画素の線形画素値の輝度成分を調整するとき、線形画素値調整部７４は、ある同一色成分副画素の線形画素値の輝度成分を増加させた場合、輝度成分を増加させた分だけ、他の同一色成分副画素の線形画素値の輝度成分を減少させる。例えば、各出力画素が図６に示すように構成される場合、同一色成分の副画素１１０と副画素１１６との組、同一色成分の副画素１１４と副画素１２０との組、または同一色成分の副画素１１２と副画素１１８との組のうちの１つの同一色成分副画素の組において、一方の副画素１１０の輝度成分を増加させたとき、輝度成分を増加させた分他方の副画素１１６の輝度成分を減少させ、もう一方の副画素１１６の輝度成分を増加させたとき、輝度成分を増加させた分他方の副画素１１０の輝度成分を減少させる。また他の１つの同一色成分副画素の組において、一方の副画素１１４の輝度成分を増加させたとき、輝度成分を増加させた分他方の副画素１２０の輝度成分を減少させ、もう一方の副画素１２０の輝度成分を増加させたとき、輝度成分を増加させた分他方の副画素１１４の輝度成分を減少させる。さらに最後の同一色成分副画素の組において、一方の副画素１１８の輝度成分を増加させたとき、輝度成分を増加させた分他方の副画素１１２の輝度成分を減少させ、もう一方の副画素１１２の輝度成分を増加させたとき、輝度成分を増加させた分他方の副画素１１８の輝度成分を減少させる。
【００６８】
例えば、Ｎ＝２である場合、前述した式（１２）は、次の式（１４）で示すように表現することができ、一番目（ｎ＝１）の位置に存在する同一色成分副画素の線形画素値Ｐ1、及び二番目（ｎ＝２）の位置に存在する同一色成分副画素の線形画素値Ｐ2は、次の式（１５）及び式（１６）を用いて調整することができる。
【００６９】
【数１４】
2006048037.tif 000012
【００７０】
【数１５】
2006048037.tif 000013
【数１６】
2006048037.tif 000014
【００７１】
ここで、ＤＰは、次の式（１７）を用いて求めることができる。
【００７２】
【数１７】
2006048037.tif 000015
【００７３】
式（１５）及び式（１６）を見れば、出力画素の全体の色度と全体の輝度とが変化しないために、Ｐ1にＤＰを加算すると同時に、Ｐ2からＤＰを減算していることが分かる。この際、加減する量であるＤＰは、式（１７）で示すように、一番目（ｎ＝１）の位置と二番目（ｎ＝２）の位置の同一色成分副画素の入力輝度成分Ｙsub,P,1とＹsub,P,2の差に基づいて決定されることが分かる。したがって、各出力画素における同一色成分副画素の線形画素値の輝度成分間の差を、その同一色成分副画素の入力輝度成分間の差に近似させることができる。
【００７４】
例えば、各出力画素を図６で示すように具現する場合、ＰがＲであるとき、色成分Ｒを表現する同一色成分副画素１１０、同一色成分副画素１１６の線形画素値Ｒ1、Ｒ2を調整するために、副画素１１０、副画素１１６に属する入力画素の三刺激値のうち、輝度成分Ｙについての三刺激値の平均値である入力輝度成分Ｙsub,R,1、Ｙsub,R,2を利用する。すなわち、副画素１１０、副画素１１６の線形画素値Ｒ1、Ｒ2の輝度成分間の差を副画素１１０、副画素１１６の入力輝度成分Ｙsub,R,1、Ｙsub,R,2間の差に近似させる。
【００７５】
本発明の他の実施形態によれば、第９２ステップ後に、線形画素値調整部７４は、各出力画素に属する副画素のうち、同一色成分副画素の線形画素値間の比率が、同一色成分副画素の入力輝度成分間の比率に近似するまで、同一色成分副画素の線形画素値を調整する（第９４ステップ）。これは、次の式（１８）のように表現することができる。
【００７６】
【数１８】
2006048037.tif 000016
【００７７】
ここで、ＹPは、Ｐ色成分を表現するＮ個の同一色成分副画素について、第９２ステップで決定した入力輝度成分の平均値であって、次の式（１９）のように表現することができ、Ｐaは、Ｐ色成分を表現するＮ個の同一色成分副画素の未調整の線形画素値Ｐnの平均値であって、次の式（２０）のように表現することができる。
【００７８】
【数１９】
2006048037.tif 000017
【００７９】
【数２０】
2006048037.tif 000018
【００８０】
本発明の一実施形態によれば、線形画素値調整部７４は、調整済の線形画素値が最大値を超える場合、その調整済の線形画素値を最大値として決定し、調整済の線形画素値が最小値未満である場合、その調整済の線形画素値を最小値として決定してもよい。例えば、線形画素値調整部７４は、最大値及び最小値が、それぞれ‘１'及び‘０'である場合、Ｐ´iが０より小さければ、Ｐ´i＝０と設定し、Ｐ´iが１より大きければ、Ｐ´i＝１と設定する。
【００８１】
一方、第９４ステップ後に、デジタル画素値変換部７６は、線形画素値調整部７４から受け取った、各出力画素の調整済または未調整の線形画素値をデジタル画素値に変換し、デジタル画素値を出力端子ＯＵＴ２を通じて出力する（第９６ステップ）。
【００８２】
前述した第４８ステップまたは第９６ステップで言及したデジタル画素値は、チャンネル毎に求められ、入力映像が有することができる入力レベルの範囲、例えば０〜２R−１の範囲の値である。
【００８３】
各出力画素が任意の幾何学的パターンを有する副画素から形成される場合、各出力画素が有する副画素の幾何学的形式に関係なく映像をレンダリングするステップと、各出力画素に対するデジタル画素値を計算するとき、副画素レンダリングアルゴリズムを適用するステップとを含んでもよい。
【００８４】
映像は、副画素の輝度情報のみを利用してレンダリングしてもよい。
【００８５】
以下、本発明による映像レンダリング装置を制御する映像レンダリングプログラムを保存するコンピュータで読み取り可能な記録媒体を次のように説明する。
【００８６】
映像レンダリング装置を制御する少なくとも一つの映像レンダリングプログラムを保存するコンピュータで読み取り可能な本発明の一実施形態による記録媒体は、所望の解像度を有する入力映像に含まれる入力画素のそれぞれの画素値を、三刺激値に変換するステップと、出力映像の所定の領域を占める各出力画素の三刺激値を求める（生成する）ステップと、各出力画素の三刺激値をデジタル画素値に変換するステップとを実行するコンピュータプログラムを保存することができる。この際、この記録媒体には、入力映像が所望の解像度を有するか否かを判断するステップと、入力映像が所望の解像度を有しないと判断した場合、入力映像を所望の解像度で補間するステップと、入力映像が所望の解像度を有すると判断した場合、または入力映像を補間するステップの後、所望の解像度を有する入力映像または補間した入力映像に含まれる各入力画素の画素値を三刺激値に変換するステップとをさらに実行することを特徴とするコンピュータプログラムを保存することができる。
【００８７】
この際、各出力画素の三刺激値を求めるステップは、各出力画素に属する入力画素の三刺激値の平均値を求め、求めた平均値を各出力画素の三刺激値として決定するステップを行うことを特徴とする。
【００８８】
また、出力画素の三刺激値をデジタル画素値に変換するステップは、各出力画素の三刺激値を線形画素値に変換するステップと、各出力画素に含まれる各副画素に属する入力画素の三刺激値のうち、輝度成分の平均値を求め、求めた平均値を各副画素の入力輝度成分として決定するステップと、各出力画素に属する副画素のうち、同一の色成分を表現する副画素の線形画素値間の分布が、その副画素の入力輝度成分間の分布に近似するまで、副画素の線形画素値を調整するステップと、各出力画素の調整済の線形画素値をデジタル画素値に変換するステップとを行い、出力画素は互いに重ならず、各出力画素は、同一の色成分を表現する少なくとも２つの副画素を有することを特徴とする。
【００８９】
本発明は、映像を処理する映像処理装置及び映像処理方法に適用できる。
【図面の簡単な説明】
【００９０】
【図１】本発明による映像レンダリング装置の実施形態のブロック図である。
【図２】本発明による映像レンダリング方法の実施形態を説明するためのフローチャートである。
【図３】３個のストライプ画素構造を有するディスプレイ装置の例示的な形態を示す図面である。
【図４】図１に示した画素値生成部の本発明による実施形態のブロック図である。
【図５】図２に示した第４８ステップについての本発明による一実施形態を説明するためのフローチャートである。
【図６】出力映像の例示的な形態を示す図面である。
【符号の説明】
【００９１】
１０    解像度検査部
１２    解像度補間部
１４    三刺激値変換部
１６    三刺激値生成部
１８    画素値生成部
２０    平均部
【図１】
2006048037.tif 000023
【図２】
2006048037.tif 000024
【図３】
2006048037.tif 000025
【図４】
2006048037.tif 000026
【図５】
2006048037.tif 000027
【図６】
2006048037.tif 000028